(57)【特許請求の範囲】
【請求項１】
ワイヤー巻き取りモーターをスクリーン巻き取りモーターを制御装置を有するインバータに接続して、回転数を任意に制御し得るようにし、当該制御装置に、スクリーン張りだし時、スクリーン巻き取り時の各過程における必要なだけのテンション変還を両モーターの回転数の差でもって出力し得るようにした大型電動ロールブラインドのテンション制御法において、スクリーン巻き取り時において、当初はスクリーン巻き取りモーター側の回転数をワイヤー巻き取りモーター側の回転数に比して高くするが、最大負荷点でのスクリーン巻き取りシャフトにたわみが発現する事態を回避すべく、ワイヤー巻き取りモーター側の回転数をスクリーン巻き取りモーター側の回転数に比して高くして回転数を逆転して所定の回転数の差を確保し、最大負荷点を通過したたわみ発生の懸念がなくなったところで、スクリーン巻き取りモーター側の回転数をワイヤー巻き取りモーター側の回転数に比して高めて回転数を再逆転した回転数の差のもとで巻き取りを行うことを特徴とする大型電動ロールブラインドのテンション制御法。
【請求項２】
請求項１記載の大型電動ロールブラインドのテンション制御法において、スクリーン巻き取り時、当初一時的にワイヤー巻き取りモーターの最大回転数到達後もスクリーン巻き取りモーター側の回転数をワイヤー巻き取りモーターの回転数よりも高くして差を確保したことを特徴とする大型電動ロールブラインドのテンション制御法。
【請求項３】
ワイヤー巻き取りモーターとスクリーン巻き取りモーターを制御装置を有するインバータに接続して、回転数を任意に制御し得るようにし、当該制御装置に、スクリーン張り出し時、スクリーン巻き取り時の各過程における必要なだけのテンション変還を両モーターの回転数の差でもって出力し得るようにした大型電動ロールブラインドのテンション制御法において、スクリーン張り出し時、前半は両モーターの回転数の差はスクリーンの弛緩を生じない範囲で低く押さえ、後半は、ワイヤー巻き取りモーター側の回転数を高めに設定して回転数の差を大きくとり、最大負荷点を通過した張り出し完了の固定時は両モーターの回転数を共に低下させるが所定の回転数の差は確保することを特徴とする大型電動ブラインドのテンション制御法。
【請求項４】
スクリーンが台形若しくは二等辺三角形の非定巾スクリーンである請求項１、２、３のいずれか１項に記載の大型電動ロールブラインドのテンション制御法。
【発明の詳細な説明】
【０００１】
【発明の属する技術分野】
この発明は、大型電動ロールブラインドのテンション制御法に関する。
【０００２】
【従来の技術】
近年、大規模なアトリュームや採光面を有する大規模多目的建築物が数多く計画、建設されている。これ等の建物にあっては、単に採光量調整のみでなく完全遮光により暗転させて演出性を高めることが求められる。このように非垂直な採光面であっても迅速な調光、遮光が可能なブラインドとしては、互いに平行に配置した一対のローラと、これらのローラ間に張架されたスクリーンと、これらのローラに夫々付設されたモーターとを備え、これらモーターの駆動力によってスクリーンを水平方向に移動させながら何れかのローラ側に巻取らせるように構成した電動ロールブラインドがあり、大面積遮光の場合には長スパン，幅長に渡る大型になる。
【０００３】
かかる水平状の長スパン支持点間に張架されるスクリーンにあっては弛緩（垂れ）が不可避であり、この弛緩を大きく許容したままでは、スクリーン張り出し時にあっては不体裁な垂れ下がりを生じ構造体との接触を生じ、スクリーン巻き取り時にあっては、巻き皺（折れ雛）を生じる。
しかして、叙上の不都合な弛緩を阻止する従来の技術として、実開平２−１２５１９８号，特開平４−４１８８８号，実開平５−４７２９４号等に提案がなされている。いずれも同じ要領よりなるものであって、図５に示される電動ロールブラインド１において、２はスクリーン、３，３′はワイヤー、４はスクリーン用シャフト、５はワイヤー用シャフト、６はスクリーン巻取りモーター、７はワイヤー巻取りモーターであるが、当該スクリーン２に常時弛緩を解消し得る一定のテンションを導入し続けようとするものであって、例えばモーター６，７を表１に示される要領に制御するとしている。
【０００４】
【表１】
0003561749.tif 000002
【０００５】
【発明が解決しようとする課題】
叙上の一定のテンション導入で事足れりと考える根拠は、弛緩を阻止し得る大きさのテンションが常時導入されてさえいれば、弛緩は発生し得ないとしているところにあるが、現実には、特に大型化したものにあっては、例えばスクリーン張り出し時にあっては、スクリーンの下部に建築体等の障害物が存在するとき、ブレーキトルクが弱いとスクリーンが障害物に引っかかってしまうことがあり、また、スクリーン巻き取り時にあっては、一定のテンションで巻き取ると障害物に接触したり、巻き皺（折れ皺）が発生したりする。さらには、ドーム設置ケ所によって傾斜角が異なるアーチ状の建物に設置した場合には、スクリーンの張りが均一にならず見映えが悪るく、建物構造体との干渉も生じる。いずれも阻止し得ているはずの弛緩の存在に由る現象である。
【０００６】
この理由は、上記の一定のテンションが弛緩の完全阻止達成を目的としているために、スクリーンが完全展張完了時直前の最大のテンション値に設定されているので、全長に渡って負荷のかかる幅長のスクリーン巻き取りシャフトには特に完全展張時にたわみの発生が不可避で、これによる歪みとスクリーンにおける伸張率の不均一が強力なテンション付加のもとで現われるためと解される。
【０００７】
本発明は、従来の技術の有するこのような問題点に鑑みなされたものであり、その目的とするところは、別段、スクリーン巻き取りシャフトのたわみ、スクリーンの一部に伸び過ぎをもたらすような強いテンションを導入しなくとも、スクリーン張り出し時にあっては垂れを生じず、スクリーン巻き取り時にあっては、巻き皺（折れ皺）を発生しないで済み得るテンション制御法を提供しようとするものである。
【０００８】
【課題を解決するための手段】
上記目的を達成するために、本発明におけるテンション制御法は、ワイヤー巻き取りモーターとスクリーン巻き取りモーターを制御装置を有するインバータに接続して、回転数を任意に制御し得るようにし、当該制御装置に、スクリーン張り出し時、スクリーン巻き取り時の各過程における必要なだけのテンション変遷を両モーターの回転数の差でもって出力し得るよう設定するとしたものである。
【０００９】
これによって、テンションは可変となり、スクリーン張り出し時、スクリーン巻き取り時の各過程で必要値を変化させるテンションに対応できることとなり、不必要に大きなテンション付加を避けることができる。
【００１０】
【発明の実施の形態】
本発明の実施の形態を図を参照して説明すると、図１において、制御装置８を有するインバータ９は、ワイヤー巻き取りモーター７、スクリーン巻き取りモーター６に接続される。制御装置８にはスクリーン張り出し時、スクリーン張り出し固定時、スクリーン巻き取り時の各スクリーン位置における周波数変化を任意に設定できる記憶手段を備えるとしても良く、この記憶手段によって、必要とするテンションを具現するモーター６、７の回転数をもたらす変遷周波数を設定しておくこともできる。
【００１１】図２ａはスクリーン張り出し時、ｂ、ｃはスクリーン巻き取り時の本発明の制御例を示す経時回転数の変遷を示すグラフである。図中実線１０はワイヤー巻き取りモーター７のもの、点線１１はスクリーン巻き取りモーター６のものを夫々示す。スクリーン張り出し時（ａ）において、前半は両者の回転数の差Ｄ（これがスクリーンのテンションとなり、自由に設定できる。）はスクリーン２の張り出し量が少ないことから弛緩を生じない範囲で低く押さえ、後半は、スクリーン２の張り出し量が増して負荷が激増することからワイヤー巻き取りモーター７側の回転数を高めに設定して回転数の差Ｄ′を大きくとる。最大負荷点を通過した張り出し完了の固定時は両モーター６、７の回転数を共に低下させるが所定の回転数の差Ｄ″は確保する。
【００１２】
また、スクリーン巻き取り時（ｂ）において、当初はスクリーン巻き取りモーター６側の回転数を高くするが、最大負荷点でのスクリーン巻き取りシャフト４にたわみが発現する事態を回避すべくワイヤー巻き取りモーター７側を高くして逆転して所定の回転数の差ｄを確保するが、最大負荷点を通過したたわみ発生の懸念がなくなったところで、主役たるスクリーン巻き取りモーター６側の回転数を高めて再逆転して回転数の差ｄ′のもとで巻き取りを行なう。
【００１３】
当該ｄ′は負荷が漸減していく過程で小さなテンションで済む。巻き取り完了直前では両モーター６、７は共に回転数を降下させるが差ｄ″は確保する。このように，テンション可変化により，合理的なテンション導入ができる。
図２Ｃはスクリーン巻き取り時の特殊例を紹介するもので、ワイヤー巻き取りモーター７側に構造体が存在していて，前述の（ｂ）の要領のままでは起動時のワイヤー巻き取りモーター７の回転数低減の際にスクリーンの該モーター７側に生じる弛緩で前記の構造体と接触するおそれがある場合である。
【００１４】この場合には当初一時的にワイヤー巻き取りモーター７の最大回転数到達後もスクリーン巻き取りモーター６側の回転数をワイヤー巻き取りモーター７よりも高くして差Ｅを確保すると無事乗り越えができる。
図３は特願平６−９２３７６号にて本出願人が提案の従来の矩形のスクリーンと異なる台形若しくは二等辺三角形の非定巾スクリーン１２を採用したロールブラインドを示すが、このものにも本発明は当然ながら適用できる。このスクリーンには、図４に示す如く、隣り同志が互いに反対向きで（ａ）、交互にレベルを入れ替え（ｂ）、かつ、互いの側端縁を所定巾重ねる（ａ）とすると、大採光面被覆をなし得ることとなるものである。
【００１５】
【発明の効果】
以上より明らかなる如く、本発明によれば、必要以上のテンション導入を合理的に避けているために、全体的にゆるめのテンションで稼動し得、スクリーン巻き取りシャフトのたわみやスクリーンの伸縮率不均一に由来する不都合を解消することができる。この結果、スクリーンの弛緩を解消し、構造体との干渉を避け得、さらには、傾斜角の違いによるスクリーンのたわみ（通常は下部であろう。）をその側のシャフトのモーターの回転数を高める処理にて、たわみを解消し、建物形状に合致した見映えの良い出来に仕上げることができる。
【図面の簡単な説明】
【図１】本発明制御法の説明図である。
【図２】ａはスクリーン張り出し時、ｂ，ｃはスクリーン巻き取り時の本発明の制御例説明図である。
【図３】本発明適用の別種ブラインドの説明図である。
【図４】ａ，ｂは図３に紹介のブラインドの使用説明図である。
【図５】従来の電動ロールブラインドのテンション制御法の説明図である。
【符号の説明】
１  電動ロールブラインド
２  スクリーン
３  ワイヤー
３′  ワイヤー
４  スクリーン用シャフト
５  ワイヤー用シャフト
６  スクリーン巻取りモーター
７  ワイヤー巻取りモーター
８  制御装置
９  インバータ
１０  実線
１１  点線
１２  非定巾スクリーン
【図１】
0003561749.tif 000003
【図２】
0003561749.tif 000004
【図３】
0003561749.tif 000005
【図４】
0003561749.tif 000006
【図５】
0003561749.tif 000007